(57)【要約】【課題】個人情報管理装置において、通常のデータベース情報と予定情報双方の情報の関連性が無くまた、個別操作のため操作性が不便なものとなっている。【解決手段】日付を検索機能とした予定管理機能と、情報を必要に応じて分類した情報管理機能群を情報入力日付および情報に関連する日付を付加された情報により、情報内容、日付による検索機能とを結合させた情報構造および検索機能を特徴とする個人用予定管理装置である。【選択図】図５
2014086065.tif 000002
【特許請求の範囲】
【請求項１】
カレンダーに予定、各種情報を記述することを特徴とした情報管理装置。
【請求項２】
記述する情報の種類を予め用意された分類に分け記述することができる他、その分類を追加できることを特徴とした請求項１の装置。
【請求項３】
記述された情報を情報の分類あるいは日付あるいは情報の内容またはそれらの組み合わせにより検索呼び出しができることを特徴とした請求項１の装置。
【請求項４】
蓄積された記述情報で繰り返し記述のある内容の次の記述時点を予測して、使用者に知らせることを特徴とした請求項１の装置。
【請求項５】
予め記述内容に対応した期間を設定することにより、期間到達を使用者に知らせることを特徴とした請求項１の装置。
【請求項６】
カレンダーへの情報の記述を記述する当日、過去の任意の時点、未来の任意の時点のいずれも可能としたことを特徴とした請求項１の装置。
【発明の詳細な説明】
【技術分野】
【０００１】
この発明は、個人用の予定管理、各種情報記録と管理、予定の予測を行う装置に関する。
【背景技術】
【０００２】
従来の個人用データベース装置は対応するデータの分類の選択を行い、データの記述、データの入力を行うことによりデータは収納され、それらをデータの分類項目あるいは記述したデータの内容などにより検索し、データを引き出すものであった。
また従来の個人用予定管理装置は、カレンダに予定を記入し、記入した内容の目視確認あるいは、装置に設定した規則により、予定の発生する一定時間前に使用者に予定を知らせるものであった。
【先行技術文献】
【特許文献】
【０００３】
【特許文献１】特開２００２−１９７２４１号公報
【発明の概要】
【発明が解決しようとする課題】
【０００４】
上記従来技術の装置では、個人用データベース装置への入力や検索などの操作と個人用予定管理装置の操作が分離されているが、人の行動に着目すると手帳に予定を記入し、その他の情報の記録参照を行っていたり、カレンダに予定を記述、また出来事を記述するなど、上記二つの装置の機能を一カ所に集約させることが人の思考に合っているにもかかわらず従来技術の装置では分かれた装置となっており、双方の情報の関連性が無くまた、個別操作のため操作性が不便なものとなっている。
【０００５】
また記述された情報に繰り返し性がある場合や、期限のある情報に対して使用者に通知する機能は実現されていない。
【０００６】
本発明はこのような従来技術の問題点を解決することを目的としている。
【課題を解決するための手段】
【０００７】
上述の目的は、日付を検索機能とした予定管理機能と、情報を必要に応じて分類した情報管理機能群を情報入力日付および情報に関連する日付を付加された情報により、情報内容、日付による検索機能とを結合させた情報構造および検索機能を特徴とする個人用予定管理装置である。
【発明の効果】
【０００８】
予定に関わる情報とそのほかの情報を一元的に検索でき、より人の行動に近い操作で情報の管理ができる。
【図面の簡単な説明】
【０００９】
【図１】本発明の実施形態の情報処理装置の内部構成例である。
【図２】情報処理装置の内部構成を示すブロック図である。
【図３】画面に表示される基本画面構成図である。
【図４】記憶装置に格納される情報の単位を示すブロック図である。
【図５】情報の単位が配置される構造を示したものである。
【図６】操作手順例を示したものである。
【図７】情報を書き込む内容の詳細の例を示したものである。
【図８】情報を読み出す工程の詳細の例を示したものである。
【発明を実施するための形態】
【００１０】
以下、図面を参照して本発明の実施形態を詳細に説明する。
【００１１】
図１は、本発明の実施形態の情報処理装置の内部構成例を示す。
図において、液晶表示器などの表示デバイス１０１とタッチパネルなどの入力デバイス１０２およびキーボードなどその他の入力装置１０３が制御部１０４に接続され、装置外部との通信を行う外部インタフェイス１０５が接続される。
【００１２】
図２は図１の構成を有する情報処理装置の内部構成を示すブロック図である。
図において情報処理装置は各ユニット間でデータや命令を転送するためのバスライン２１６と、命令やデータに基づきバスラインに接続される各ユニットを制御するプロセッサ２０７と、プロセッサ２０７のための命令コードを格納するための不揮発性メモリ２０８と、プロセッサ２０７の一時情報格納用の書き換え可能なメモリ２０９と、バックアップ電池２１１で電源が切れた状態でも時刻情報をカウントするリアルタイムクロックデバイス２１０と、予定情報や各種情報を格納するフラッシュメモリ２１２と、予定情報や各種情報を一時的に保持する不揮発性書き換え可能メモリ２１３と、液晶表示器２０１を制御する表示器インタフェイス２０２と、タッチパネル２０３を制御するタッチパネルインタフェイス２０４と、キーボード２０５を制御するキーボード制御インタフェイス２０６と、外部機器接続端子２１５を制御する外部インタフェイス２１４から構成される。
【００１３】
図３は図１の情報処理装置の表示デバイス１０１に表示される基本画面構成図である。図においてたとえは分類名称をそれぞれ表示した分類ボタン３０１１から３０１７で構成される分類を選択する分類選択部３０１と、当日および任意の日付を指示することができ、それに付随する情報を表示する日付指示部３０２と、たとえば１ヶ月分の日付の各日付における詳細情報を表示する各日表示部３０４０から３０４３１などの集合で構成されるカレンダー表示部３０３から構成される。
【００１４】
図４は図２のフラッシュメモリ２１２内に格納される情報の単位を示すブロック図である。図において一つの情報単位４０１には、その情報が登録された日付および変更更新された日付などを示す登録日付情報４０１１と、その情報が属する分類を示す情報分類４０１２と、登録された情報を格納する情報内容４０１３と、たとえばその情報がほかの情報と関連がある場合や繰り返し性のある情報などの情報に属する派生した情報とのリンクを示す派生項目４０１４から構成され、情報の数に応じてこのブロックが存在する。
【００１５】
図５は図４の情報の単位が配置される構造を示したものである。図において配列の日付軸５０１は図４登録日付情報たとえば４０１１を示し、登録日付を基準として情報の検索を可能とし、配列の情報分類軸５０２は図４情報分類情報たとえば４０１２を示し、登録情報分類を基準として情報の検索を可能とし、図４情報単位４０１ないしは情報の数に応じた情報単位はたとえば５０３１、５０３２、５０３３、のように配置される。
【００１６】
図６は図３の基本画面を用いて図４の情報が図５の情報の配置に収納される操作手順例を示したものである。図において情報を書き込む場合は図３分類名称の選択を図３の例で３０１１ないしは３０１７の分類ボタンを指定することにより選択する工程６０１、図３日付指示部３０２に表示された日付に関わる情報であるか否かの判定により、既に表示されている日付の場合は日付の設定の工程６０３を実行を不要とし、指定された日付の場合は図３日付指示部３０２に日付を指定する工程６０３、これらの工程で分類名称６０１および日付６０２、６０３が指定された後収納する情報を書き込む工程６０４により、情報が収納される。
【００１７】
図７は図４情報内容４０１３を図６情報の書き込みの工程６０４で書き込む内容の詳細の例を示したものである。図７情報分類名称７０１は選択された分類名称が７０１１に表示され、新たな分類の場合は７０１１に新たな分類名称を記入することにより新たな分類を生成させその分類が表示され、付随情報７０２は情報に関わる必要な情報で、期限７０２１においてその情報が期限を持つ情報か否かの指定を７０２２、７０２３で指定し、期限のある場合は何日後にその期限が来るかを指示する欄７０２４もしくは、指定された日時を期限とする場合の日時指定欄７０２５で指示し、場所７０２１０においてその情報が場所を持つか否かの指定を７０２６、７０２７で指定し、場所のある場合はその場所を７０２８の名称もしくは７０２９の写真データで指示し、情報内容７０３にて詳細な情報をテキストデータにて書き込む。
【００１８】
図８は図６で収納された図７の情報を読み出す工程の詳細の例を示したものである。８０１の工程でカレンダーで指定された日付もしくは当日の日付に基づきその８０１（１）日付の予定の表示、収納された情報を検索し、８０１（２）でその日付に期限がある情報の表示、収納された情報を検索し、同様な情報がおよそ等間隔で並んでいる情報がある場合はその間隔が指定された日付の場合はその情報８０１（３）を表示する。
【００１９】
８０１表示に続き使用者にキーワード検索の有無を確認し、キーワード検索要求がある場合は８０７でキーワードを入力させ、８０８の工程で、そのキーワードに関連した情報の概要（例えば情報の先頭数文字など）一覧を表示８０８（１）させ、その一覧から必要な情報を選択８０８（２）させ必要な情報を確定する。
【００２０】
また、８０１表示に続きキーワード検索要求の無い場合は、情報分類からの情報検索要求の確認８０３を行い、無い場合は本工程は終了し、有る場合は８０４の工程で、情報分類一覧の表示８０４（１）から要求する分類の選択８０４（２）を行い、８０５の工程でその分類内の情報一覧の表示８０５（１）から必要な情報の選択８０５（２）させ必要な情報を確定する。
【００２１】
８０６は８０５、８０８で確定された情報を表示させる工程である。
【００２２】
「実施形態の効果」
この実施形態によれば、情報の設定日付と情報内容分類の検索が複合で行え、より人の情報整理方法に近い操作で、容易な情報管理を可能としている。
【００２３】
「他の実施形態」
この実施例はマイクロプロセッサなどの演算装置を主制御装置として実施しているが、同等の機能を持つ論理演算回路もしくはパーソナルコンピュータをはじめとする汎用コンピュータを用いるためのソフトウェアプログラムで実施しても良い。
【産業上の利用可能性】
【００２４】
各種産業、商業などのノウハウの伝承のためのデータ管理装置として有用である。
【符号の説明】
【００２５】
１０１  表示デバイス        １０２  入力デバイス
１０３  入力装置            １０４  制御部
２０１  液晶表示器          ２０２  表示インタフェイス
２０３  タッチパネル        ２０４  タッチパネルインタフェイス
２０５  キーボード          ２０６  キーボードインタフェイス
２０７  プロセッサ          ２０８  不揮発性メモリ
２０９  書換可能メモリ      ２１０  リアルタイムクロックデバイス
２１１  電池                ２１２  フラッシュメモリ
２１３  不揮発性書換可能メモリ
２１４  外部インタフェイス  ２１５  外部機器接続端子
３０１  分類選択部
３０１１〜３０１７  分類ボタン
３０２  日付指示部          ３０３  カレンダー表示部
３０４０〜３０４３４  各日表示部
４０１〜４ｎｎ  情報単位
４０１１、４０２１  登録日付情報
４０１２、４０２２  情報分類
４０１３、４０２３  情報内容
４０１４、４０２４  派生項目
５０１  日付軸              ５０２  情報分類軸
５０１１〜５０１４  日付
５０２１〜５０２５  情報分類
５０３１〜５０３５  情報単位
６０１  分類名称選択工程    ６０２  当日判断工程
６０３  日付選択工程        ６０４  書き込み工程
７０１  情報分類名称        ７０１１  分類名称表示部
７０２  付随情報            ７０２１  期限
７０２２、７０２３  期限有無指定部
７０２４  期限日数指定部    ７０２５  期限日時指定部
７０２１０  場所
７０２６、７０２７  場所の有無指定
７０２８  場所の名称入力部  ７０２９  写真データ入力部
７０３  情報入力部
８０１  現在情報表示工程    ８０２  キーワード検索指示判定
８０３  情報分類表示判定    ８０４  情報分類表示、選択工程
８０５  情報分類内容表示、概要選択工程
８０６  情報表示工程        ８０７  キーワード入力工程
８０８  キーワード関連概要表示、概要選択工程
【図１】
2014086065.tif 000003
【図２】
2014086065.tif 000004
【図３】
2014086065.tif 000005
【図４】
2014086065.tif 000006
【図５】
2014086065.tif 000007
【図６】
2014086065.tif 000008
【図７】
2014086065.tif 000009
【図８】
2014086065.tif 000010